【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】
少なくとも装着面に電極を有する直方体の電子部品が上記電子部品の長手方向と直交する方向に少なくとも２個以上積層され、かつ、上記積層された電子部品の互いに対向する積層面間には放熱用空間を形成した状態で、上記積層された電子部品が互いに接着層で固着されるようにしたことを特徴とする電子部品集合体。
【請求項２】
上記電子部品は電極を上記積層面にも有し、上記電子部品の上記積層面の互いに対向する電極間が絶縁され、かつ、上記電極以外の上記積層面の互いに対向する面間に上記放熱用空間を形成した状態で、上記複数の電子部品が積層されて上記接着層で固着される請求項１に記載の電子部品集合体。
【請求項３】
上記接着層は、上記積層された電子部品の上記積層面の互いに対向する上記電極に配置されて上記積層された電子部品の上記積層面の互いに対向する上記電極間を絶縁する絶縁層と、上記積層された電子部品同士を固着させる接着剤とを備えるようにした請求項２に記載の電子部品集合体。
【請求項４】
上記接着層は、上記積層された電子部品の上記積層面の互いに対向する上記電極間に配置されて上記積層された電子部品の上記積層面の互いに対向する上記電極間を絶縁し、かつ、上記積層された電子部品同士を固着する接着剤として機能する絶縁層である請求項２に記載の電子部品集合体。
【請求項５】
上記接着層は、シート状又は液状の絶縁性熱硬化性樹脂を加熱硬化されたものである請求項２〜４のいずれか１つに記載の電子部品集合体。
【請求項６】
上記電子部品の上記電極は、上記電子部品の積層面には無く、上記装着面に有する請求項１に記載の電子部品集合体。
【請求項７】
上記少なくとも１つの電子部品の平らな側面であって上記接着層が配置されていない面が、積層状態の上記電子部品を被実装体に実装するときに積層状態の上記電子部品を吸着保持する吸着面である請求項１〜６のいずれか１つに記載の電子部品集合体。
【請求項８】
上記吸着面は、隣接した上記複数の電子部品にまたがったそれらの電子部品の側面であり、かつ、その隣接した上記複数の電子部品間から上記接着層が突出していない側面である請求項７に記載の電子部品集合体。
【請求項９】
請求項１〜８のいずれか１つに記載の電子部品集合体同士を積層して構成される電子部品集合体。
【請求項１０】
回路配線を有する補助シートを備え、上記各電子部品の上記電極と上記回路配線の一端とが電気的に接続され、かつ上記補助シートの端部付近に上記回路配線の他端が配置されている請求項１〜９のいずれか１つに記載の電子部品集合体。
【請求項１１】
上記電子部品の側面若しくは上下面に積層種類別用マークが付けられている請求項１〜１０のいずれか１つに記載の電子部品集合体。
【請求項１２】
少なくとも装着面に電極を有する直方体の電子部品の積層面上に、熱硬化性樹脂の接着層を配置し、
上記接着層を上記電子部品の上記積層面間に介在させ、かつ、上記積層された電子部品の互いに対向する積層面間には放熱用空間を形成した状態で、上記接着層により上記電子部品の長手方向と直交する方向に少なくとも２個以上積層し、
上記接着層を加熱硬化させることにより、２個以上積層された上記電子部品を固着させるようにしたことを特徴とする、電子部品集合体の製造方法。
【請求項１３】
請求項１〜１１のいずれか１つに記載の電子部品集合体を部品保持部材により保持したのち、被実装体の所定位置に実装するようにした電子部品集合体の実装方法。
【手続補正２】
【補正対象書類名】明細書
【補正対象項目名】０００６
【補正方法】変更
【補正の内容】
【０００６】
本発明の第１態様によれば、少なくとも装着面に電極を有する直方体の電子部品が上記電子部品の長手方向と直交する方向に少なくとも２個以上積層され、かつ、上記積層された電子部品の互いに対向する積層面間には放熱用空間を形成した状態で、上記積層された電子部品が互いに接着層で固着されるようにしたことを特徴とする電子部品集合体を提供する。
【手続補正３】
【補正対象書類名】明細書
【補正対象項目名】０００７
【補正方法】変更
【補正の内容】
【０００７】
本発明の第２態様によれば、上記電子部品は電極を上記積層面にも有し、上記電子部品の上記積層面の互いに対向する電極間が絶縁され、かつ、上記電極以外の上記積層面の互いに対向する面間に上記放熱用空間を形成した状態で、上記複数の電子部品が積層されて上記接着層で固着される第１の態様に記載の電子部品集合体を提供する。
【手続補正４】
【補正対象書類名】明細書
【補正対象項目名】０００８
【補正方法】変更
【補正の内容】
【０００８】
本発明の第３態様によれば、上記接着層は、上記積層された電子部品の上記積層面の互いに対向する電極間に配置されて上記積層された電子部品の上記積層面の互いに対向する上記電極間を絶縁する絶縁層と、上記積層された電子部品同士を固着させる接着剤とを備えるようにした第２の態様に記載の電子部品集合体を提供する。
【手続補正５】
【補正対象書類名】明細書
【補正対象項目名】０００９
【補正方法】変更
【補正の内容】
【０００９】
本発明の第４態様によれば、上記接着層は、上記積層された電子部品の上記積層面の互いに対向する上記電極間に配置されて上記積層された電子部品の上記積層面の互いに対向する上記電極間を絶縁し、かつ、上記積層された電子部品同士を固着する接着剤として機能する絶縁層である第２の態様に記載の電子部品集合体を提供する。
【手続補正６】
【補正対象書類名】明細書
【補正対象項目名】００１０
【補正方法】変更
【補正の内容】
【００１０】
本発明の第５態様によれば、上記接着層は、シート状又は液状の絶縁性熱硬化性樹脂を加熱硬化されたものである第２〜４のいずれか１つの態様に記載の電子部品集合体を提供する。
【手続補正７】
【補正対象書類名】明細書
【補正対象項目名】００１１
【補正方法】変更
【補正の内容】
【００１１】
本発明の第６態様によれば、上記電子部品の上記電極は、上記電子部品の積層面には無く、上記装着面に有する第１の態様に記載の電子部品集合体を提供する。
【手続補正８】
【補正対象書類名】明細書
【補正対象項目名】００１２
【補正方法】変更
【補正の内容】
【００１２】
本発明の第７態様によれば、上記少なくとも１つの電子部品の平らな側面であって上記接着層が配置されていない面が、積層状態の上記電子部品を被実装体に実装するときに積層状態の上記電子部品を吸着保持する吸着面である第１〜６のいずれか１つの態様に記載の電子部品集合体を提供する。
【手続補正９】
【補正対象書類名】明細書
【補正対象項目名】００１３
【補正方法】変更
【補正の内容】
【００１３】
本発明の第８態様によれば、上記吸着面は、隣接した上記複数の電子部品にまたがったそれらの電子部品の側面であり、かつ、その隣接した上記複数の電子部品間から上記接着層が突出していない側面である第７の態様に記載の電子部品集合体を提供する。
【手続補正１０】
【補正対象書類名】明細書
【補正対象項目名】００１４
【補正方法】変更
【補正の内容】
【００１４】
本発明の第９態様によれば、第１〜８のいずれか１つの態様に記載の電子部品集合体同士を積層して構成される電子部品集合体を提供する。
【手続補正１１】
【補正対象書類名】明細書
【補正対象項目名】００１５
【補正方法】変更
【補正の内容】
【００１５】
本発明の第１０態様によれば、回路配線を有する補助シートを備え、上記各電子部品の上記電極と上記回路配線の一端とが電気的に接続され、かつ上記補助シートの端部付近に上記回路配線の他端が配置されている第１〜９のいずれか１つの態様に記載の電子部品集合体を提供する。
【手続補正１２】
【補正対象書類名】明細書
【補正対象項目名】００１６
【補正方法】変更
【補正の内容】
【００１６】
本発明の第１１態様によれば、上記電子部品の側面若しくは上下面に積層種類別用マークが付けられている第１〜１０のいずれか１つの態様に記載の電子部品集合体を提供する。
【手続補正１３】
【補正対象書類名】明細書
【補正対象項目名】００１７
【補正方法】変更
【補正の内容】
【００１７】
本発明の第１２態様によれば、少なくとも装着面に電極を有する直方体の電子部品の積層面上に、熱硬化性樹脂の接着層を配置し、
上記接着層を上記電子部品の上記積層面間に介在させ、かつ、上記積層された電子部品の互いに対向する積層面間には放熱用空間を形成した状態で、上記接着層により上記電子部品の長手方向と直交する方向に少なくとも２個以上積層し、
上記接着層を加熱硬化させることにより、２個以上積層された上記電子部品を固着させるようにしたことを特徴とする、電子部品集合体の製造方法を提供する。
【手続補正１４】
【補正対象書類名】明細書
【補正対象項目名】００１８
【補正方法】変更
【補正の内容】
【００１８】
本発明の第１３態様によれば、第１〜１１のいずれか１つの態様に記載の電子部品集合体を部品保持部材により保持したのち、被実装体の所定位置に実装するようにした電子部品集合体の実装方法を提供する。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】